(57)【要約】【課題】パチンコ機等の遊技機では、より効果的な演出の為、強い閃光のキセノンランプの利用が特許出願され検討された。が、電気的ノイズの発生の問題、遊技者の目への悪影響の心配から実用になっていない。キセノンランプ光は紫外線を含む事に注意が必要。【解決手段】プリント基板上に、キセノンランプと、キセノンランプの作動に必要な部品を取付ることで、トリガートランスで発生する高電圧に基づく電気的ノイズの発生領域を少なくすると共に、放電コンデンサーを小容量のセラミックコンデンサーとし、小型化と共に、閃光エネルギーを小さくし、目への悪影響を軽減した。また、閃光を透光性紫外線吸収部材を介させて、直接には紫外線が目に入らないようにした。【選択図】図３
2012179339.tif 000002
【特許請求の範囲】
【請求項１】
プリント基板に設けられた長穴に管体の一部が納められたキセノンランプの陽電極、陰電極、トリガー電極を上記プリント基板の配線にハンダ付けで取り付けると共に、キセノンランプを作動させるための回路を構成する各部品を上記プリント基板上に設け、上記プリント基板と外部との電気的結合に用いられる電源線、信号線に、キセノンランプ作動で発生する電気的ノイズが乗らないようにすると共に、上記プリント基板を透光性紫外線吸収部材から成るケースに納め、紫外線の放出を防止した事を特徴とする閃光発生器。
【請求項２】
プリント基板にキセノンランプを取り付けると共に、キセノンランプを作動させるための回路を構成する部品を上記プリント基板上に設け、上記プリント基板と外部との電気的結合に用いられる電源線、信号線に、キセノンランプ作動で発生する電気的ノイズが乗らないようにすると共に、上記プリント基板を透光性紫外線吸収部材から成るケースに納め、紫外線の放出を防止した閃光発生器にあって、前記キセノンランプの外側を取り囲んで前記キセノンランプと同心状かつ中心軸回りに回転可能な透過光色又は透光度が異なる複数部分に区切られた透光性紫外線吸収部材を配して、観察される光の色又は明るさを、前記透光性紫外線吸収部材の中心軸回りの回転角度に応じて変化光とした閃光発生器。
【請求項３】
キセノンランプを駆動するトリガーコンデンサーに並列にネオンランプを挿入し、放電コンデンサーに過大な電圧が加わっている場合でもトリガーコンデンンサーに加わる電圧を制限する事でトリガートランスの一次側電圧を制限し、結果、トリガートランスの二次側電圧が制限され、ノイズ発生を低減すると共に、ネオンランプの発光により装置操作者に高電圧で危険な状態であることを報知可能な事を特徴とする閃光発生器。
【請求項４】
請求項１であって、
キセノンランプ作動に必要な部品の内、放電コンデンサーを静電容量を１マイクロファラッド以下の積層セラミックコンデンサーとし、閃光のエネルギーを少なくし観察者の目への負担、発生ノイズを軽減すると共に、寸法の小型化を可能とした事を特徴とする閃光発生器。
【発明の詳細な説明】
【技術分野】
【０００１】  本発明は、パチンコ機、スロット機等の遊技機やアミューズメント装置等に搭載するのに適した閃光発生器に関連する。
【背景技術】
【０００２】  パチンコ機への利用を代表として記載する。現在のパチンコ機は、多くが始動口への入賞のタイミングで大当たりか否かの抽選で遊技が進行する。大当たりの確率は低く、遊技者は大当たりまで興趣を失いがちになる。
対策として、大当たりするかも知れない状態のリーチ状態等を液晶画面、ランプ、ＬＥＤ表示、音声で盛り上げる。【０００３】ランプ、ＬＥＤでの演出は、各社の製品競争の中で、ＬＥＤの使用個数が数百にも達し、高価で消費電力も無視出来ない状態に成っている。その競争環境の中で特開２００１−２１８８９５、特開２００４−１５９９５３、特開２００４−１８１０３８等でキセノンランプの閃光を用いる技術が公開されている。
又、ノイズ防止関連で特開２００１−３３８５３が公開されている。
【先行技術文献】
【特許文献】
【０００４】
【特許文献１】特開２００１−２１８８９５
【特許文献２】特開２００４−１５９９５３
【特許文献３】特開２００４−１８１０３８
【特許文献４】特開２００１−３３８５３
【発明の概要】
【発明が解決しようとする課題】
【０００５】  本発明が解決しようとする課題は、［背景技術］でも述べた公開技術にも拘わらず、未だにキセノンランプの利用が実用に成らない以下の課題を解決する事にある。
（１）キセノンランプ光は可視光線以外に、紫外線を含む事、又、あまりに強い閃光であることから、目への害を低減する必要がある。
（２）キセノンランプのトリガー電圧は数千ボルトと高電圧で遊技機内の他の電子回路への悪影響への改善を要する。
（３）単色の閃光だけでなく、多色の閃光で演出効果を高める。
（４）小型化、低価格化が可能な具体的構成を進歩させること。
上記（１）（２）（３）（４）が、解決しようとする課題である。【０００６】  上記（１）に対して特開２００１−２１８８９５では「不透明な合成樹脂を介して閃光を通す」と記載される事で、無意識に紫外線の害を低減している。特開２００４−１５９９５３では［００２２］に「大光量の閃光は遊技者の目の疲労で連続には適さない」とか［００２４］では「横方向から閃光を与え閃光が直接遊技者の目に入らないように」の記載が有り、積極的に害を低減する様子が少ない。【０００７】  上記（２）に対して特開２００１−２１８８９５では図９で示される様に、キセノンランプと駆動回路は別々で、両者を結ぶトリガー信号配線は遊技機の別の電子回路の配線へ悪影響を与える。特開２００４−１５９９５３では明細書に言葉として記載は無いが、図２，図３でストロボユニット３１への配線が電源線と２本の信号線のみで示されており、別の電子回路の配線へ悪影響を与える度合いは少ない。が［００２４］で「多大なエネルギーを使用し、目の疲労」等の記載からインパクト重視に偏り、問題が残る。特開２００１−３３８５３より、さらに効果的なノイズ対策も求められる。【０００８】  上記（３）（４）に対しては実用化された製品が無い事と関連し、公開技術上も見るべき物はなく、本出願で開示する。
【課題を解決する為の手段】
【０００９】  請求項１の閃光発生器は、プリント基板に設けられた長穴に管体の一部が納められたキセノンランプの陽電極、陰電極、トリガー電極を上記プリント基板の配線にハンダ付けで取り付けると共に、キセノンランプを作動させるための回路を構成する各部品を上記プリント基板上に設け、上記プリント基板と外部との電気的結合に用いられる電源線、信号線に、キセノンランプ作動で発生する電気的ノイズが乗らないようにすると共に、上記プリント基板を透光性紫外線吸収部材から成るケースに納め、紫外線の放出を防止した事を特徴とする閃光発生器であるから、課題（１）に対しては透光性紫外線吸収部材がら成るケースが目への悪影響を軽減し、課題（２）に対してはトリガートランスを含む各部品をケース内に納めていることで効果を上げている。課題（３）に対しては図３に示した閃光発生器以外の部材である外部透光部材の色を変化させる事で達成される。課題（４）に対しては回路を構成する部品の内、特に放電コンデンサーを積層セラミックコンデンサーとして、小型化と低価格化を可能としている。
【００１０】  請求項２の閃光発生器は、プリント基板にキセノンランプを取り付けると共に、キセノンランプを作動させるための回路を構成する部品を上記プリント基板上に設け、上記プリント基板と外部との電気的結合に用いられる電源線、信号線に、キセノンランプ作動で発生する電気的ノイズが乗らないようにすると共に、上記プリント基板を透光性紫外線吸収部材から成るケースに納め、紫外線の放出を防止した閃光発生器にあって、前記キセノンランプの外側を取り囲んで前記キセノンランプと同心状かつ中心軸回りに回転可能な透過光色又は透光度が異なる複数部分に区切られた透光性紫外線吸収部材を配して、遊技者に観察される光の色又は明るさを、前記透光性紫外線吸収部材の中心軸回りの回転角度に応じて変化光とした閃光発生器であるから、課題（１）の紫外線に対してはキセノンランプと同心状の透光性紫外線吸収部材とケースの透光性紫外線吸収部材の二重の構成で安全性が高まる。課題（３）に対しては記載された文章の通りの効果を有する。
【００１１】  請求項３の閃光発生器は、キセノンランプを駆動するトリガーコンデンサーに並列にネオンランプを挿入し、放電コンデンサーに過大な電圧が加わっている場合でもトリガーコンデンンサーに加わる電圧を制限する事でトリガートランスの一次側電圧を制限し、結果、トリガートランスの二次側電圧が制限され、ノイズ発生を低減すると共に、ネオンランプの発光により装置操作者に高電圧で危険な状態であることを報知可能な事を特徴とする閃光発生器であるから、課題（２）の電気的ノイズの低減に効果が有り、特にトリガー電極回りでの他の電気部品への悪影響を低減させ、配線間の開き寸法を小さく出来る効果から課題（４）の小型化への効果が生まれる。また、ネオンランプが装置操作者に高電圧で危険である事を報知する機能も有用である。
【００１２】  請求項４の閃光発生器は、キセノンランプ作動に必要な部品の内、放電コンデンサーを静電容量を１マイクロファラッド以下の積層セラミックコンデンサーとし、閃光のエネルギーを少なくし観察者例えば遊技者の目への負担、発生ノイズを軽減すると共に、寸法の小型化を可能とした事を特徴とする閃光発生器であるから、課題（４）の小型化と低価格化に大きな効果が有るだけでなく、閃光エネルギーを大幅に小さくしたことで、発生する紫外線量も、火花放電から生ずるノイズも低減し課題（１）（２）への効果が大きい。
【図面の簡単な説明】
【００１３】
【図１】  本発明の閃光発生器の第一の回路構成を示す回路説明図。
【図２】  本発明の閃光発生器の第二の回路構成を示す回路説明図。
【図３】  本発明の閃光発生器の第一実施例を示す説明図。
【図４】  本発明の閃光発生器の第二実施例を示す説明図。
【発明を実施する為の形態】
【００１４】  図１は本発明の閃光発生器の第一の回路構成を示す回路説明図であり、プリント基板１に設けられたコネクター２の端子２−１と２−２間に交流電源３が結ばれ、昇圧トランス４の一次側に供給され、二次側は高電圧に昇圧され、整流ダイオード５で直流高圧電源となり、放電コンデンサー６を充電している。放電コンデンサー６の両端は、一方がキセノンランプ１０の陽電極、他方が陰電極に結ばれる。同直流高圧電源は抵抗７，トリガーコンデンサー８，トリガートランス９の一次側を通ってトリガーコンデンサー８を充電する。その電流変化はゆっくりしているのでトリガートランスの二次側には高電圧を発生させない。図示の様に抵抗７とトリガーコンデンサー８の結合点にはサイリスタ１１のアノードが結ばれ、カソードはトリガートランス９の一次側、二次側の結合点に結ばれている。トリガートランス９の二次側はキセノンランプ１０のトリガー電極に結ばれる。また、サイリスタ１１のゲート、カソード間には抵抗１２が結ばれる。また、トリガーコンデンサー８と並列にネオンランプ１３とツェナーダイオード１４が結ばれる。
【００１５】  遊技制御回路１５には直流電源１６が結ばれ、入力信号１７も与えられている。その出力はドライバー１８、コネクター２の端子２−４を介してサイリスタ１１のゲートに結ばれている。また、直流電源１６のマイナス極はコネクター２の端子２−３に結ばれている。
図１で示した回路はネオンランプ１３とツェナーダイオード１４の部分以外は公知の物であるが、本発明の実施例の図３を説明する為に示す。なを、交流電源３で示したのはパチンコ機等遊技機には交流電源２４ｖが有り、そのまま昇圧トランスで高電圧を得られる事を示したのみで、使い捨てカメラで行われている様に直流をトランジスタ発信器で交流にしても良い。
【００１６】  動作の説明をする。昇圧トランス４では２５０ｖ程の交流が作られ、整流ダイオード５で整流され、放電コンデンサー６を充電する。２５０ｖ程の電圧がキセノンランプの陽電極、陰電極に与えられるだけでは放電はしない。が、抵抗７，トリガーコンデンサー８，トリガートランス９の一次側のループで充電されたトリガーコンデンサー８の電荷がサイリスタ１１が遊技制御回路１５の指示でＯＮに成った時には、トリガートランス９の二次側に数千ボルトの高電圧を発生させ、キセノンンランプ１０内のガスを電離させ、放電の種となり、一気に放電コンデンサー６の電荷を消化し、閃光を発する。
【００１７】  トリガーコンデンサー８と並列のネオンランプ１３とツェナーダイオード１４の動作はトリガートランス９の二次側に発生する高電圧を制限する働きをする。今、ネオンランプ１３，ツェナーダイオード１４が無いとすれば、放電コンデンサー６の電圧はＣＲの時間遅れはあるが、そのままの値でトリガーコンデンサー８を充電する。サイリスタ１１がＯＮした時にはその値の電位がトリガートランス９の巻線比で昇圧され二次側に発生する。
今、放電コンデンサー６の電圧が２割大きく成ったとする、二次側電位も２割大きくなるが、割合で見ると問題無いが、巻線比で上昇した電圧値が問題と成る。
【００１８】  トリガートランス９の二次側はキセノンランプ１０のトリガー電極に繋がれ、トリガー電極はプリント基板１にハンダ付けされる。プリント基板１には他の電気部品も取付られる為、接近しすぎると破壊させたり、誤動作させる事になる。対策として両者の隙間を大きくするが、小型化の妨げになる。
【００１９】  ネオンランプ１３とツェナーダイオード１４が設けられていれば、ネオンランプ１３の放電電圧とツェナーダイオード１４の規定電圧の加算値の電圧で制限され、放電コンデンサー６の電圧が上昇してもトリガーコンデンサー８の電圧は一定に保たれる。即ち、トリガートランス９の二次側電圧は制限され、プリント基板１での部品配置で隙間の余裕度を少なく出来、小型化が可能となる。
【００２０】  ネオンランプ１３の放電電圧が任意の値の物が入手出来れば、ツェナーダイオード１４は無用である。実際にはネオンランプ１３の放電電圧値の種類は限られるため、各種電圧値の揃っているツェナーダイオード１４と組合せ所望の値でトリガーコンデンサー９の充電電圧を制限する。
【００２１】  特開２００１−３３８５３でトリガートランスの二次側電圧を制限する技術が公開されているが、その方法はトリガートランスの一次側に電圧制限部材を挿入している。
本発明ではトリガーコンデンサー９に電圧制限部材を挿入している。同一効果が得られるが公開技術のものはトリガーコンデンサーが充電された時点で電力消費が無い点が優れる。
本件のものは常にネオンランプ１３に流れる電流がロスになる点で劣る、が、ネオンランプ１３の発光が装置操作者に高電圧で危険である状態を報知出来るメリットを有する。また、トリガーコンデンサー９の耐圧の余裕度を少なく出来、小型化、低価格化の効果もある。
【００２２】  本発明は電気的ノイズが少なく、且つ、遊技者の目に害の少ない閃光発生器を目指している。閃光のエネルギーは光分でなく、電気分では１／２ＣＶ２と表現できる。ここで、Ｃは放電コンデンサーの静電容量値、Ｖは同品への印可電圧である。使い捨てカメラでは放電コンデンサーは１６０μＦ、３３０ｖ程の物が使われ、動作状態電圧が３００ｖとすると、１／２ｘ１６０−６ｘ３００２で７．２ジュール程である。遊技機用では実験で確認した結果、
１μＦの容量でも十分にインパクトのある閃光が得られる事を確認した。３００ｖで使用したとして、１／２ｘ１−６ｘ３００２で０．０４５ジュールで十分と確認した。
【００２３】  放電エネルギーを小さくする事は、可視光の閃光と同時に紫外線の量も同じように少なくしている事が期待でき、目の疲労を少なくする効果がある。
また、本発明では電気的ノイズの低減を目指しているが、雷からのノイズがラジオに影響する、皆の経験に照らして小さい火花は害も小さくなると考えられる。安全に、どこでも使われている使い捨てカメラの百分の一以下の放電エネルギーならほぼ安全と期待できる。後述する紫外線吸収部材の効果と合わせ安全な遊技機用閃光発生器が可能となる。
【００２４】  次に、図２で本発明の閃光発生器の第二の回路構成例を示す。同一機能である事から、同一部分は図１と同一符号で説明すると共に、図３，図４に対しても同一部分は同一符号で説明し簡単化に努める。
【００２５】  直流電源１４からはプリント基板１上に設けられたコネクタ１９の端子１９−１と１９−２を介してトランジスター２０，昇圧トランス２１，抵抗２２から成る、自励式発信回路の昇圧回路で高電圧を発生させ、整流ダイオード５を介して放電コンデンサー６に直流高電圧を作る。放電コンデンサー６には抵抗７とトリガーコンデンサー８の直列分、とキセノンランプ１０とＩＧＢＴ２３の直列分の２個が並列に結ばれる。抵抗７とトリガーコンデンサー８の結合点からはトリガートランス９の一次側を通り、二次側の一端を経てキセノンランプ１０とＩＧＢＴの結合点に結ばれている。トリガートランス９の二次側の他端はキセノンランプ１０のトリガー端子に結ばれている。トリガーコンデンサー８には図１と同様にネオンランプ１３とツェナーダイオード１４が結ばれている。また、直流電源１４を受けた遊技制御回路１５が入力信号１７を受け、遊技の進行に合わせドライバー１８、コネクタの端子１９−３を介してＩＧＢＴ２３のゲート端子に結ばれている。
【００２６】  電源が入り遊技中は、放電コンデンサー６，トリガーコンデンサー８は充電され待機状態となる。遊技制御回路１５が遊技の状況でドライバー１８に信号を出せば、ＩＧＢＴは導通しトリガーコンデンサー８はトリガートランス９の一次側を励磁し、二次側に高電圧を発生させ、キセノンランプ１０のトリガー電極に高電圧を伝え、管内を電離させ、放電コンデンサー６の電荷はアーク放電とさせ、閃光を発し一気に放電する。なを、ＩＧＢＴとは絶縁ゲートバイポーラトランジスターであり、ゲート信号を与えている間のみコレクタ、エミッタ間を導通させる事が出来、放電コンデンサー６にキセノンランプ１０の放電維持電流値を保てる電荷が残っている状態でも閃光を止める事が出来る。結果、キセノンランプ１０をより短時間、高速の繰り返し閃光させる事が出来る。ネオンランプ１３，ツエナーダイオード１４は図１と同一である。
【００２７】  次に図３で本発明の閃光発生器の第一実施例を示す。図（ａ）はケース２４を破断してプリント基板１上に配置されたキセノンランプを作動させるための各部品を示す正面図であり、各部品は図１に対応している。図（ｂ）はＡ、Ａ断面を示し、図（ｃ）はＢ，Ｂ断面を示す図である。説明は図（ａ），（ｂ）、（ｃ）を一体的に用いて説明する。
【００２８】  プリント基板１はケース２４内に納められており、長穴１ａがキセノンランプ１０の管体より僅かに長く、幅方向も僅かに広く開けられており、キセノンランプ１０の管体の下半部が長穴１ａ内に収容される。キセノンランプ１０の陽電極１０ａ、陰電極１０ｂは長穴１ａ外部のプリント基板１上の銅箔パターンにハンダ付けされる。キセノンランプ１０のトリガー電極１０ｃは管体の外径にほぼ近い径のパイプの半月状の部分とプリント基板１に設けられた取付穴１ｃへの脚部から成り、ハンダ付けでプリント基板１に管体とトリガー電極１０ｃが接する様に取り付けられる。プリント基板１にはケース２４への取付穴１ｂも設けられるが、取付は穴と止めネジに囚われず、他の方法とし、取付穴１ｂを廃止しても良い。
【００２９】  基板上にはコネクター２，昇圧トランス４，整流ダイオード５，放電コンデンサー６，抵抗７，トリガーコンデンサー８，トリガートランス９，サイリスタ１１，抵抗１２，ネオンランプ１３，ツェナーダイオード１４が搭載されているのが示されている。ネオンランプ１３，ツェナーダイオード１４，抵抗１２はキセノンランプを作動させるに必須の部品ではなく、基板上に配置されない事があり、サイリスタ１１は後述の図２のＩＧＢＴに置き変えられる事がある。
【００３０】  ケース２４は透光性紫外線吸収部材で作られる、全体を上記部材で作る必要は無いが、プリント基板１の長穴１ａを介して光りが外部へ放出される面は透光性紫外線吸収部材が必須である。透光性紫外線吸収部材とは白色光の閃光を出したい時には、無色透明な樹脂にメトキシケイヒ酸オクチルとかオキシベンゾン等を塗布するか、ビルの硝子に施工されている紫外線吸収フイルムを貼り付けた物を言う。白色光が無用の時は広く使われている着色透光樹脂が使用出来る、赤、緑、青等、光を通す部材の特性は、その物の色の波長のみを通し、他の波長の光を吸収する性質が有り、紫外線も吸収される事を示す。ただ、何事にも１００％と言う事は無いので、波長が紫外線により異なる赤側を、また濃淡は濃いめを用いるのが好ましい。なお、透光性紫外線吸収部材についての上記の記載は例示であり、透光性かつ紫外線吸収性を備える限りにおいて、特段の制限なく採用できる。
【００３１】  図（ｂ）、図（ｃ）で示す外部透光部材２５は本発明の閃光発生器の利用方法を示すものである。ケース２４から放出される閃光は白色を含む単一の光のみの閃光であるが、外部に種種の色の透光材を配置すれば、光の三原色の法則に従い種種の色の光が作れる事を示す物である。外部透光部材を可動させ、その位置毎に色、色の濃淡が変化すれば、閃光が発せられる度に興味ある演出が可能となる。
【００３２】  次に図４で本発明の閃光発生器の第二実施例を示す。プリント基板、キセノンランプを閃光させる部品、透光性紫外線吸収部材からなるケースは図３と同一であることから削除し説明を簡単化した。キセノンランプ自体は同一であるが電極の取付方法の変化のため新たな符号を付けた。
【００３３】  キセノンランプ３０の陰電極３０ｂは端子板３１の取付穴３１ａにハンダ付けされている。端子板３１には図示されないプリント基板にハンダ付けされるべき突起３１ｂが設けられている。キセノンランプ３０の管体には透光パイプ３２が嵌められ、両者の隙間にキセノンランプ３０のゲート電極３０ｃが管体に接する様にはめ込まれている。ゲート電極３０ｃは図（ｄ）で示す線ａと線ｂが成す１２０度の部分を除く、鏡面仕上げされた金属板で１２０度の開口方向へ閃光を放出する。また、図（ｂ）で示す突出部がトリガートランスの二次側に結ばれる。
【００３４】  次に、透光パイプ３２の外周にはキセノンランプ３０と同心状かつ中心軸回りに回転可能な様に透過光色又は透光度の異なる透光性紫外線吸収部材が、３３ａ、３３ｂ、３３ｃの様に配置されている。図（ｄ）でしめす様に、３３ａ、３３ｂ、３３ｃは各々１２０度毎のパイプを切断した形であり、一方の端は歯車付きホルダーパイプ３４の円周状の溝３４ａにはめこまれ、溝３４ａの回りのリブ３４ｂ、３４ｃとの間で接着、溶着等で一体化される。
他方の端も同様の加工でホルダーパイプ３５と一体にされる。歯車付きホルダーパイプ３４、ホルダーパイプ３５の中心には透光パイプ３２の外径と適合した穴が設けられており、スムーズな回転が出来る。
【００３５】  次に、中心にキセノンランプ３０の管径より僅かに大きな径の穴を有するスペーサー３６が嵌められる。スペーサー３６には切り欠き３６ａが有り、トリガー電極の突出部３０ｃを受け入れる。又、端子板受入部３６ｂが設けられており、端子板３７を付け、端子板３７の穴にキセノンランプ３０の陽電極３０ａをハンダ付けすると組上がり一体となり、両方の端子板の突起でプリント基板に取付可能となる。
【００３６】  歯車付きホルダーパイプ３４は、歯車３８を介してモーター３９に連結される。キセノンランプ３０から発生した閃光は透光性紫外線吸収部材３３を通り、図示されていないケースの透光性紫外線吸収部材と２段に通り、光の３原則に従い、透光性紫外線吸収部材３３の回転位置に従い変化した光と成って、外部に放出される。図３で外部透光材２５で説明した現象をケース内で実現した有用な構成である。
【００３７】  以上、説明で本発明はキセノンランプのインパクトの強い閃光を用いながら、遊技機等発光源から近い距離で使用したり、子供用遊具の様にインパクトは強くしたいが、安全性を重視したりする用途で、目への安全性、電気ノイズの少なさ、種種の色が楽しめる、小型で安価な物が作れる等、効果が大きく有用性が高い。
【符号の説明】
【００３８】１                      プリント基板
１ａ                    長穴
２                      コネクター
３                      交流電源
４                      昇圧トランス
５                      整流ダイオード
６                      放電コンデンサー
７                      抵抗
８                      トリガーコンデンサー
９                      トリガートランス
１０                    キセノンランプ
１１                    サイリスタ
１２                    抵抗
１３                    ネオンランプ
１４                    ツェナーダイオード
１５                    遊技制御回路
１６                    直流電源
１７                    入力信号
１８                    ドライバー
１９                    コネクター
２０                    トランジスター
２１                    昇圧トランス
２２                    抵抗
２３                    ＩＧＢＴ
２４                    ケース（透光性紫外線吸収部材）
２５                    外部透光部材
３０                    キセノンランプ
３１                    端子板
３２                    透光パイプ
３３                    透光性紫外線吸収部材
３４                    歯車付きホルダーパイプ
３５                    ホルダーパイプ
３６                    スペーサー
３７                    端子板
３８                    歯車
３９                    モーター
【図１】
2012179339.tif 000003
【図２】
2012179339.tif 000004
【図３】
2012179339.tif 000005
【図４】
2012179339.tif 000006